(57)【要約】【課題】簡易な把持でも器具本体や収納した錘が脱落しないようにするトレーニング器具を提供する。【解決手段】本トレーニング器具１は、長方形状の布地からなる胴部２と、前記胴部の長辺方向の両端に形成されており、前記胴部の短辺方向に貫通する筒状部３と、前記胴部の一面側であって、各前記筒状部と前記胴部の長辺方向の中央部２１との間に配列されている袋状の収納部４と、を備え、各前記収納部は、前記胴部の長辺方向の中央部側の端部が開口しており、各前記収納部の開口している前記端部は、伸縮性素材からなる蓋５によって覆われていることを特徴とする。このような本トレーニング器具１は、錘を適宜収納部に収めた状態で握ったり、身体に装着したりすることによって装着部位に加重による負荷を掛け、トレーニングに活用することができる。【選択図】図１
0003219588.tif 000002
【実用新案登録請求の範囲】
【請求項１】
長方形状の布地からなる胴部と、
前記胴部の長辺方向の両端に形成されており、前記胴部の短辺方向に貫通する筒状部と、
前記胴部の一面側であって、各前記筒状部と前記胴部の長辺方向の中央部との間に配列されている袋状の収納部と、
を備え、
各前記収納部は、前記胴部の長辺方向の中央部側の端部が開口しており、
各前記収納部の開口している前記端部は、伸縮性素材からなる蓋によって覆われていることを特徴とするトレーニング器具。
【請求項２】
前記収納部は、前記胴部の短辺方向に複数配列されている請求項１記載のトレーニング器具。
【請求項３】
前記蓋は織ゴムを有し、伸ばした状態で前記収納部の前記端部が露出し、
前記収納部の開口している前記端部は、その中央部が凹んだ湾曲形状に形成されている請求項１又は２記載のトレーニング器具。
【請求項４】
前記蓋は略長方形状であり、前記収納部上に重なる一辺が開口し、前記一辺を除く端部が胴部に固定されている請求項１乃至３のいずれかに記載のトレーニング器具。
【請求項５】
前記胴部の短辺方向の中央となる前記筒状部の表面に、前記胴部の端部と接するように指を挿入するための指入孔が形成されている請求項１乃至４のいずれかに記載のトレーニング器具。
【請求項６】
前記布地は、合成繊維製のジャージー編物である請求項１乃至５のいずれかに記載のトレーニング器具。
【請求項７】
前記胴部の長辺方向の中央部の長さは、８０〜１４０ｍｍである請求項１乃至６のいずれかに記載のトレーニング器具。
【請求項８】
前記収納部は、平板状の錘を収納可能な形状である請求項１乃至７のいずれかに記載のトレーニング器具。
【請求項９】
前記筒状部は平坦に畳むことができ、前記筒状部の内径は２５〜１００ｍｍである請求項１乃至８のいずれかに記載のトレーニング器具。
【考案の詳細な説明】
【技術分野】
【０００１】
本考案は、トレーニングのために身体の任意の箇所に加重をかけることができるトレーニング器具に関する。更に詳しくは、トレーニングに集中できるように様々な形態で身体に取り付けることができ、簡易な把持でも器具本体や収納した錘が脱落しないようにするトレーニング器具に関する。
に関する。
【背景技術】
【０００２】
適宜に錘を取り付けて身体を動かすことにより鍛錬を行うトレーニングが知られている。このようなトレーニングを行うために、腰、腕及び脚等に錘を固定するための器具が提案されている（例えば、特許文献１、２を参照。）。
例えば、特許文献１に示されている身体加重用胴衣は、胴衣の腹側及び背側に蓋を有するポケットを設け、ポケットの中に砂袋である錘を収納することで胴体に加重することができる。また、特許文献２に示されている筋力強化器は、腕及び脚に巻き付けるベルトに蓋を有するポケットを設け、ポケットの中に錘を収納することで腕及び脚に加重することができる。
【先行技術文献】
【特許文献】
【０００３】
【特許文献１】特開２０１０−１６２１０２号公報
【特許文献２】特開２０００−０３７４７５号公報
【考案の概要】
【考案が解決しようとする課題】
【０００４】
しかし、特許文献１に記載されている身体加重用胴衣は、形状が胴衣であるため、腕や脚等、胴以外の部位に負荷をかけることができない。また、特許文献２に記載されている筋力強化器は、ベルトを二重巻きすること等が検討されていないため、腰と足首等、巻き付ける身体部位の太さが大きく異なる箇所に適用することができない。
【０００５】
そこで、本考案は、様々な形態で身体に取り付けることができ、簡易な把持でも器具本体や収納した錘が脱落しないトレーニング器具を提供することを目的とする。
【課題を解決するための手段】
【０００６】
本考案は、以下の通りである。
１．長方形状の布地からなる胴部と、
前記胴部の長辺方向の両端に形成されており、前記胴部の短辺方向に貫通する筒状部と、
前記胴部の一面側であって、各前記筒状部と前記胴部の長辺方向の中央部との間に配列されている袋状の収納部と、
を備え、
各前記収納部は、前記胴部の長辺方向の中央部側の端部が開口しており、
各前記収納部の開口している前記端部は、伸縮性素材からなる蓋によって覆われていることを特徴とするトレーニング器具。
２．前記収納部は、前記胴部の短辺方向に複数配列されている前記１．記載のトレーニング器具。
３．前記蓋は織ゴムを有し、伸ばした状態で前記収納部の前記端部が露出し、
前記収納部の開口している前記端部は、その中央部が凹んだ湾曲形状に形成されている前記１．又は２．記載のトレーニング器具。
４．前記蓋は略長方形状であり、前記収納部上に重なる一辺が開口し、前記一辺を除く端部が胴部に固定されている前記１．乃至３．のいずれかに記載のトレーニング器具。
５．前記胴部の短辺方向の中央となる前記筒状部の表面に、前記胴部の端部と接するように指を挿入するための指入孔が形成されている前記１．乃至４．のいずれかに記載のトレーニング器具。
６．前記布地は、合成繊維製のジャージー編物である前記１．乃至５．のいずれかに記載のトレーニング器具。
７．前記胴部の長辺方向の中央部の長さは、８０〜１４０ｍｍである前記１．乃至６．のいずれかに記載のトレーニング器具。
８．前記収納部は、平板状の錘を収納可能な形状である前記１．乃至７．のいずれかに記載のトレーニング器具。
９．前記筒状部は平坦に畳むことができ、前記筒状部の内径は２５〜１００ｍｍである前記１．乃至８．のいずれかに記載のトレーニング器具。
【考案の効果】
【０００７】
本考案のトレーニング器具によれば、長方形状の布地からなる胴部と、前記胴部の長辺方向の両端に形成されており、前記胴部の短辺方向に貫通する筒状部と、前記胴部の一面側であって、各前記筒状部と前記胴部の長辺方向の中央部との間に配列されている袋状の収納部と、を備え、各前記収納部は、前記胴部の長辺方向の中央部側の端部が開口しており、各前記収納部の開口している前記端部は、伸縮性素材からなる蓋によって覆われているため、錘を適宜収納部に収めた状態で握ったり、身体に装着したりすることによって装着部位に加重による負荷を掛け、トレーニングに活用することができる。また、錘が収納部から飛び出ないように蓋を固定したり貼り付けたりする作業を意図して行うことなく蓋を閉じることができ、トレーニング中に錘が脱落して支障が生じないようにすることができる。更に、胴部の中央部に収納部を設けていないため、肩等に掛けた状態に於いて収納部や収納部内の錘によって生じる凹凸による異物感を無くし、トレーニングに集中させることができる。また、筒状部に指等を差し入れることにより、本トレーニング器具を把持しやすくすることができ、把持したままトレーニングに集中させることができる。
前記収納部は、前記胴部の短辺方向に複数配列されている場合は、錘を収納する収納部の数や位置を任意に変えることができ、収納する錘の数の調整により加重の程度を変えたり、収納する位置により重心を変えてバランス調整を行ったりすることで、トレーニング器具による違和感を無くすことができ、トレーニングに集中させることができる。
前記蓋は織ゴムを有し、伸ばした状態で前記収納部の前記端部が露出し、前記収納部の開口している前記端部は、その中央部が凹んだ湾曲形状に形成されている場合は、蓋の伸縮性が特に優れているため、錘の形状にかかわらず蓋によって収納部の端部の開口を確実に覆うことができ、錘が収納部から脱落することを防ぐことができる。また、湾曲形状にされているため、収納部への錘の出し入れを容易にすることができる。
前記蓋は略長方形状であり、前記収納部上に重なる一辺が開口し、前記一辺を除く端部が胴部に固定されている場合は、伸縮性の蓋をめくり上げることで、収納部に錘を出し入れすることができ、錘を収納した後において、伸縮性を有する蓋によって確実に収納部の開口部が塞がれるため、蓋の閉め忘れによる錘の脱落を防止することができる。
前記胴部の短辺方向の中央となる前記筒状部の表面に、前記胴部の端部と接するように指を挿入するための指入孔が形成されている場合は、指入孔に指等を差し入れることにより、本トレーニング器具を把持しやすくすることができ、把持したままトレーニングに集中させることができる。また、指入孔は、胴部の短辺方向において端部側となる筒状部の開口端部よりも、胴部の短辺方向の中央よりの位置にすることができ、指等を差し入れたときにより安定してトレーニング器具を把持することができる。
前記布地は、合成繊維製のジャージー編物である場合は、錘の重さに対して十分な強度を保ち、肌触りがよく、伸縮性に優れる。これにより、装着感がよく、身体の動きに対する自由度が高く、関節等に対する負担を軽減し、異物感によって集中を乱されることなくトレーニングに集中させることができる。
前記胴部の長辺方向の中央部の長さは、８０〜１４０ｍｍである場合は、肩等に掛けた状態に於いて収納部や収納部内の錘が間に挟まることがないため異物感を無くし、トレーニングに集中させることができる。
前記収納部は、平板状の錘を収納可能な形状である場合は、トレーニング器具の膨らみを抑制し、取り扱いを容易にすることができる。
前記筒状部は平坦に畳むことができ、前記筒状部の内径は２５〜１００ｍｍである場合は、指を差し入れることができる大きさとして適切であり、把持が容易である。
【図面の簡単な説明】
【０００８】
本考案について、本考案による典型的な実施形態の非限定的な例を挙げ、言及された複数の図面を参照しつつ以下の詳細な記述によって更に説明するが、同様の参照符号は図面のいくつかの図を通して同様の部品を示す。
【図１】実施形態に係るトレーニング器具の外観を示す斜視図である。
【図２】筒状部及び２つの収納部について詳細を示す図１の部分拡大図である。
【図３】筒状部を拡げ、収納部の蓋を引き伸ばした状態を示す図１の部分拡大図である。
【図４】トレーニング器具を把持して行うトレーニングの例を示す模式図である。
【図５】トレーニング器具を身体に巻き付けて行うトレーニングの例を示す模式図である。
【図６】トレーニング器具を身体に載せて行うトレーニングの例を示す模式図である。
【考案を実施するための形態】
【０００９】
以下、図を参照しながら本器具を説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１０】
本実施形態に係るトレーニング器具１は、図１に示すように、長方形状の布地からなる胴部２と、胴部２の長辺方向の両端に形成されており、胴部２の短辺方向に貫通する筒状部３と、胴部２の一面側であって、各筒状部３と胴部２の中央部２１との間に配列されている袋状の収納部４と、を備える。
【００１１】
胴部２は、編物、織物、不織布等からなる略長方形状の布地である。胴部２の大きさは特に問わず、例えば、短辺の長さが１００〜４００ｍｍ、長辺の長さが５００〜１５００ｍｍとすることができる。前記編物の種類は特に問わないが、例えば、伸縮性に優れたジャージー編物等を好例とすることができる。また、前記織物の種類についても特に問わず、好ましくは、吸水性に優れるパイル織物等を挙げることができる。
胴部２の長辺方向の中央部２１は、筒状部３及び収納部４が設けられておらず、肩や腕に載せたときにトレーニング器具１を支える部位である。中央部２１の長さは、適宜設定されればよいが、肩や腕上に中央部２１だけでトレーニング器具１を支えることができる長さが好ましく、例えば、５０〜１４０ｍｍとすることができる。
【００１２】
筒状部３は、図２に示すように、胴部２の長辺方向の両方の端部に位置し、生地の端部を折り返して先端側を縫製して形成されており、通常畳まれて平坦になっている。また、図３に示すように、筒状部３を拡げて開口させて開口端部３１とし、使用形態に応じて開口端部３１に指、掌、手首、腕、足首等を挿入させるようにすることができる。筒状部３は、伸縮性のある材料により形成されてもよい。筒状部３の内径は、少なくとも指を差し入れることができる大きさであり、例えば２５〜１００ｍｍとすることができる。
筒状部３は、胴部の短辺方向の中央となる筒状部の表面に、前記胴部２の端部と接するように指を挿入するための指入孔３２が形成されていてもよい。指入孔３２は、少なくとも指を筒状部３内に差し入れることができる大きさ及び形状である。また、指入孔３２は、筒状部３の他の位置に任意の数だけ設けることができる。
【００１３】
各収納部４は、図３に示すように、胴部２の中央部２１側の端部が開口して収納口４１が形成されるように設けられている。収納部４の数は、胴部２の大きさに応じて適宜選択され、胴部２の長辺方向の中央部２１を挟む両側に、少なくとも１つずつ設けられる。図１に示す例では、片側に６個（長辺方向に３列）の収納部４が設けられている。収納部４は、胴部２と同じ布地で形成されてもよいし、異なる素材が用いられてもよい。
また、収納部４は、胴部２の短辺方向に複数配列されていることが好ましい。本例においては短辺方向に２列に収納部４が備えられている。錘８を実際に収納する収納部４の数により加重の程度を変えたり、収納する収納部４の位置によりトレーニング器具１の重心を変えてバランス調整を行ったりすることができるからである。例えば、胴部２が長辺６５０ｍｍ、短辺１４０ｍｍの布である場合、収納部４を短辺方向に２つ並べ、長辺方向の片側（中央部２１と一方の筒状部３との間）に３つ並べれば、１つの胴部２に計１２の収納部４を備えることができる。なお、図１−３に示す例では、各収納部４は胴部２の長辺方向及び短辺方向に隙間なく配列されているが、各収納部４は間隙を設けて配列されてもよい。
収納口４１の形状は種々選択できるが、図２及び図３に示すように、収納口４１の中央部が凹んだ湾曲形状を好例とすることができる。中央が凹んだ湾曲形状とすることにより収納部４に錘８を出し入れするのを容易にすることができる。
【００１４】
収納部４端部の開口（収納口４１）は、蓋５によって覆われている。蓋５の材質は、伸縮性素材であればよく、胴部２と同じ材質であってもよいし、織ゴム等の他の材質であってもよい、特に、ゴム糸を経糸又は緯糸として編んだ織ゴムは、伸縮性及び復元力が強く、錘８の形状にかかわらず収納口４１を塞ぐことができる。また、蓋５の形状は問わないが、例えば略長方形とすることができる。図２及び３に示すように、収納部４上に重なる蓋５の一辺５１が開口し、その一辺５１を除く周縁端部５２、５３、５４を胴部２に固定することができる。周縁端部５２、５３、５４の固定方法は特に問わず、縫製及び接着を例示することができる。
【００１５】
収納部４に入れて使用する錘８は、収納部４に収まる形状及び大きさであればよく、その形状、重量等は問わない。例えば、錘８として、平板形状及び円板形状の錘を使用することができる。特に平板形状の錘は、トレーニング器具の膨らみを抑制し、取り扱いを容易にすることができる。また、平坦な袋に入れた砂、鉄板、砂鉄等からなる錘を挙げることができる。１つの収納部４に入れる錘８は１つに限られず複数個であってもよい。
【００１６】
トレーニング器具１を扱う形態は，種々選択することができる。この例として、手で把持した状態で使用する、腕（手、手首等も含む）、腰、脚（足、足首等も含む）に巻き付けて使用する、肩、背中、胸、腹、脚、腕に中央部を載せ、両端をぶら下げた状態で使用する等を挙げることができる。
【００１７】
以下、トレーニング器具１を用いたトレーニングの例を説明する。各例に用いているトレーニング器具１は、合成繊維のジャージー編物からなり、長辺が６５０ｍｍ、短辺が１４０ｍｍのタオル程度の大きさの長方形の布地である胴部２と、その両端側に設けられる筒状部３と、長辺方向に中央部を挟んでそれぞれ３つずつ、短辺方向にそれぞれ２つずつ配列した計１２個の収納部４と、を具備する。胴部２は合成繊維製であり、洗濯機による洗濯が容易であるため清潔に保つことができ、異臭を発することなくトレーニングに集中しやすくすることができる。
また、筒状部３は、折りたたんだときの幅が５０ｍｍであり、開口したときは、内径が約３０ｍｍの開口端部３１を有する。更に、胴部２の短辺方向の中央となる筒状部３の表面に、胴部２の端部と接するように胴部２の長辺方向が長径且つ約３０ｍｍの長孔である指入孔３２が設けられている。
収納部４の収納口４１は、織ゴムからなる蓋５によって覆われている。蓋５は、側方の周縁端部５２、５４及び中央部２１側の周縁端部５３が胴部２に縫い付けられており、図３に示すように一辺５１の端部から捲り上げることによって覆われていた収納口４１を露出させ、収納部４に錘８を出し入れすることができる。
【００１８】
収納部４に収納する錘８として、幅約６０ｍｍ、長さ約８０ｍｍの平坦な袋に０．４ｋｇ分の粒状の鉛が収納されたものを使用する。錘８は、トレーニングの目的や鍛錬程度に応じて数を調整して、１２箇所の収納部４に１つずつ収納される。全ての収納部４に錘８を収納しない場合、トレーニングの内容に応じて収納する場所を変えることができる。例えば、図４（ｃ）に示すように、トレーニング器具１の収納部４を把持する場合、把持する収納部４を避けて錘８を収納する。また、図５に示すように、トレーニング器具１を身体に巻き付ける場合、巻き始め側の収納部４に錘８を収納しないで、巻き終わり側の収納部４に錘８を収納することで、身体と接触する場所が錘８により異物感が生じないようにすることができる。更に、図６に示すようにトレーニング器具１を身体に載せる場合、胴部２長辺側両側の収納部４に等数の錘８を収納し、トレーニング器具１の重心を中央部２１に位置させる。
【００１９】
（１）把持して使用するトレーニング
本トレーニング器具１は、図４（ａ）に例示するように、胴部２の中央部２１を握った状態で身体を動かすことにより、身体に加重した状態のトレーニングを行うことができる。例えば、胴部２の中央部２１を握った状態で上半身を曲げることにより、腰のトレーニングを行うことができる。
また、図４（ｂ）、（ｃ）に示すように、両腕で胴部２を一定の間隔で掴み、左右に引っ張ることにより、錘８の重みを加えて、両肩に負担を掛けることができる。また、このまま上半身を左右に回転する鍛錬を行うことができる。このとき、両手の間隔を広くすると、動きが制限され、狭くすると腰の回しが広い範囲となる。
【００２０】
（２）身体に巻き付けて使用するトレーニング
本トレーニング器具１は、図５（ａ）〜（ｄ）に示すように、手首や足首に巻き付けて使用することができる。このとき、図５（ａ）に示すように筒状部３の開口端部３１に指を差し入れた状態にすると、巻き付けが緩んでも筒状部３が指に引っ掛かるため、不意のトレーニング器具１の落下を防ぐことができる。また、図５（ｂ）に示すように筒状部３の指入孔３２に指を差し入れた状態にすると、開口端部３１に指を差し入れたときよりも胴部２の短辺方向の中央で引っ掛けることができるため安定し、不意のトレーニング器具１の落下をより防ぐことができる。
【００２１】
（３）身体に載せて使用するトレーニング
本トレーニング器具１は、図６（ａ）〜（ｂ）に示すように、両肩に載せたり、背中に乗せたりして使用することができる。このような用途は、やわらかな錘として使用することができる。また、肩に載せたときに、肩の位置に中央部２１が位置するため、凹凸を有する収納部４等によって生じる違和感がない。
【００２２】
尚、本考案においては、以上に示した実施形態に限られず、目的、用途に応じて本考案の範囲内で種々変更した態様とすることができる。例えば、図１に挙げるトレーニング器具１は、ジャージー編物からなる胴部２を用いているが、これに限られずパイル織物の布地を用いて吸収性を高めることができる。
【符号の説明】
【００２３】
１；トレーニング器具、２；胴部、２１；中央部、３；筒状部、３１；開口端部、４；収納部、４１；収納口、５；蓋、５２〜５４；周縁端部、８；錘。
【図１】
0003219588.tif 000003
【図２】
0003219588.tif 000004
【図３】
0003219588.tif 000005
【図４】
0003219588.tif 000006
【図５】
0003219588.tif 000007
【図６】
0003219588.tif 000008